【手続補正書】
【提出日】平成27年12月25日(2015.12.25)
【手続補正１】
【補正対象書類名】特許請求の範囲
【補正対象項目名】全文
【補正方法】変更
【補正の内容】
【特許請求の範囲】
【請求項１】
洗剤からタンパク質を分離するための組成物であって、
ａ）セルロース誘導体、及び
ｂ）環状オリゴマー
を含有する組成物。
【請求項２】
前記環状オリゴマーが、環状オリゴ糖、カリックスアレーン、ククルビツリル及びピラーアレーンから選ばれる、請求項１に記載の組成物。
【請求項３】
前記環状オリゴ糖が、シクロデキストリン、シクロデキストラン、シクロカードラン、シクロマンニン、シクロフルクチン及びシクロガラクチンから選ばれる、請求項２に記載の組成物。
【請求項４】
前記環状オリゴマーが、シクロデキストリンである、請求項１に記載の組成物。
【請求項５】
前記環状オリゴマーが、α−シクロデキストリンである、請求項１に記載の組成物。
【請求項６】
前記環状オリゴマーが、０．１〜１０％ｗ／ｖの量で存在する、請求項１〜５のいずれか１項に記載の組成物。
【請求項７】
前記セルロース誘導体が、ヒドロキシエチルセルロース、ヒドロキシプロピルセルロース、ヒドロキシプロピルメチルセルロース及びカルボキシメチルセルロースから選ばれる、請求項１〜６のいずれか１項に記載の組成物。
【請求項８】
前記セルロース誘導体が、ヒドロキシエチルセルロースである、請求項７に記載の組成物。
【請求項９】
前記セルロース誘導体が、２−ヒドロキシエチルセルロースである、請求項７または８に記載の組成物。
【請求項１０】
前記セルロース誘導体が、０．０５〜２％ｗ／ｖの量で存在する、請求項１〜９のいずれか１項に記載の組成物。
【請求項１１】
さらにアルコールを含む、請求項１〜１０のいずれか１項に記載の組成物。
【請求項１２】
前記アルコールを０．５〜１０％ｗ／ｖの量で含む、請求項１１に記載の組成物。
【請求項１３】
前記アルコールがエタノールである、請求項１１または１２に記載の組成物。
【請求項１４】
前記アルコールが、変性エタノール又は絶対エタノールである、請求項１１〜１３のいずれか１項に記載の組成物。
【請求項１５】
前記エタノールが１〜３％ｗ／ｖの量で存在する、請求項１３または１４に記載の組成物。
【請求項１６】
さらにｐＫａが４以下の酸を含む、請求項１〜１５のいずれか１項に記載の組成物。
【請求項１７】
前記酸が、α−ヒドロキシカルボン酸である、請求項１６に記載の組成物。
【請求項１８】
前記酸が酒石酸である、請求項１７に記載の組成物。
【請求項１９】
タンパク質複合体形成色素を含まないことを特徴とする、請求項１〜１８のいずれか１項に記載の組成物。
【請求項２０】
水性溶液である、請求項１〜１９のいずれか１項に記載の組成物。
【請求項２１】
ｉ）請求項２０に記載の組成物を含む第一の溶液、及び
ｉｉ）タンパク質複合体形成色素を含む第二の溶液
を含有するキット。
【請求項２２】
タンパク質複合体形成色素がクマシー色素である、請求項２１に記載のキット。
【請求項２３】
第一又は第二の溶液のうち少なくとも一つが、ｐＫａが４以下の酸を含む、請求項２１又は２２に記載のキット。
【請求項２４】
第一及び第二の溶液がｐＫａが４以下の酸を含む、請求項２３に記載のキット。
【請求項２５】
前記酸が、α−ヒドロキシカルボン酸である、請求項２３又は２４に記載のキット。
【請求項２６】
前記酸が、酒石酸である、請求項２３〜２５のいずれか１項に記載のキット。
【請求項２７】
ｉ）タンパク質含有サンプルを環状オリゴマーを含む第一の溶液に接触させるステップ、
ｉｉ）タンパク質含有サンプルを、タンパク質複合体形成色素を含む第二の溶液に接触させるステップ、及び
ｉｉｉ）色素／タンパク質複合体の形成を検出及び／又は定量するステップ
を含む、タンパク質を検出及び／又は定量する方法。
【請求項２８】
前記タンパク質を含むサンプルがタンパク質を含む支持体の形態である、請求項２７に記載の方法。
【請求項２９】
前記支持体が電気泳動ゲルである、請求項２８に記載の方法。
【請求項３０】
前記タンパク質を含むサンプルが、ステップｉｉ）の前に第一の溶液から除去される、請求項２８又は２９に記載の方法。
【請求項３１】
ステップｉ）、ｉｉ）及びｉｉｉ）が
ａ）タンパク質を含むゲルを準備するステップ、
ｂ）該ゲルに電場を印加するステップ、
ｃ）該ゲルを第一の溶液に晒すステップ、
ｄ）必要に応じて、該ゲルを第一の溶液から取り出すステップ、
ｅ）タンパク質複合体形成色素を含む第二の溶液にタンパク質含有サンプルを晒すステップ、及び
ｆ）色素／タンパク質複合体の形成を検出及び／又は定量するステップ
を含む、請求項２９に記載の方法。
【請求項３２】
前記ゲルを、ステップｂ）の後であってステップｃ）の前に洗浄しない、請求項３１に記載の方法。
【請求項３３】
前記検出及び／又は定量するステップが、吸収スペクトル又は発光スペクトルにおける色素／タンパク質複合体の変化を検出及び／又は定量するステップを含む、請求項２７〜３２のいずれか１項に記載の方法。
【請求項３４】
前記変化が色変化である、請求項３３に記載の方法。
【請求項３５】
前記変化が５９５ｎｍでの色変化である、請求項３３または３４に記載の方法。
【請求項３６】
前記第一の溶液がセルロース誘導体を含む、請求項２７〜３５のいずれか１項に記載の方法。
【請求項３７】
第一又は第二の溶液の少なくとも片方がｐＫａが４以下の酸を含む、請求項２７〜３６のいずれか１項に記載の方法。
【請求項３８】
第一又は第二の溶液の両方が、ｐＫａが４以下の酸を含む、請求項２７〜３６のいずれか１項に記載の方法。
【請求項３９】
タンパク質複合体形成色素を含む酸性溶液中の沈殿物の量を低減するためのα−ヒドロキシカルボン酸の使用。
【請求項４０】
タンパク質複合体形成色素を含む酸性溶液中の沈殿物の量を低減するための酒石酸の使用。
【請求項４１】
色素／タンパク質複合体の染色を向上させるためのセルロース誘導体の使用。
【請求項４２】
色素／タンパク質複合体の染色を向上させるためのヒドロキシエチルセルロースの使用。
【請求項４３】
色素／タンパク質複合体の染色を向上させるための２−ヒドロキシエチルセルロースの使用。
【請求項４４】
色素／タンパク質複合体の染色を向上させるための、α−ヒドロキシカルボン酸と、セルロース誘導体とを組み合わせた使用。
【請求項４５】
色素／タンパク質複合体の染色を向上させるための、酒石酸と、ヒドロキシエチルセルロースとを組み合わせた使用。
【請求項４６】
前記色素／タンパク質複合体が、タンパク質複合体形成色素にさらされたゲル中に含まれ、前記向上が色素／タンパク質複合体を含むゲル領域と、タンパク質を含まない領域との間のコントラストを改善することによってなされる、請求項４４または４５に記載の使用。
【請求項４７】
洗剤からタンパク質を分離する方法であって、
１）タンパク質及び洗剤を含むサンプルを、ａ）セルロース誘導体及びｂ）環状オリゴマーを含む溶液に接触させるステップ、及び
２）該洗剤からタンパク質を分離するステップを含む方法。
【請求項４８】
ａ）タンパク質複合体形成色素
ｂ）環状オリゴマー、及び
ｃ）ヒドロキシカルボン酸
を含むタンパク質を検出するための組成物。
【請求項４９】
前記ヒドロキシカルボン酸が酒石酸である、請求項４８に記載の組成物。
【請求項５０】
さらにセルロース誘導体を含む、請求項４８又は４９に記載の組成物。
【請求項５１】
さらに２−ヒドロキシエチルセルロースを含む、請求項４８又は４９に記載の組成物。
【請求項５２】
前記２−ヒドロキシエチルセルロースが０．１〜０．５％ｗ／ｖの量で存在する、請求項５１に記載の組成物。
【請求項５３】
前記環状オリゴマーが、α−シクロデキストリンである、請求項４８〜５２のいずれか１項に記載の組成物。
【請求項５４】
前記α−シクロデキストリンが１〜３％ｗ／ｖの量で存在する、請求項５３に記載の組成物。
【請求項５５】
さらにアルコールを含む、請求項４８〜５４のいずれか１項に記載の組成物。
【請求項５６】
前記アルコールがエタノールである、請求項５５に記載の組成物。
【請求項５７】
前記エタノールが１〜３％ｗ／ｖの量で存在する、請求項５６に記載の組成物。
【請求項５８】
タンパク質含有サンプルを請求項４８〜５７のいずれか１項に記載の組成物に接触させるステップと、色素／タンパク質複合体の形成を検出及び／又は定量するステップとを含む、タンパク質を検出及び／又は定量する方法。
【請求項５９】
前記タンパク質を含むサンプルがタンパク質を含む支持体の形態である、請求項５８に記載の方法。
【請求項６０】
前記支持体が電気泳動ゲルである、請求項５９に記載の方法。
【請求項６１】
ｉ）タンパク質を含むゲルを準備するステップ、
ｉｉ）該ゲルに電場を印加するステップ、
ｉｉｉ）該ゲルを本発明の組成物に晒すステップ、及び
ｉｖ）色素／タンパク質複合体の形成を検出及び／又は定量するステップ
を含む、請求項６０に記載の方法。
【請求項６２】
前記ゲルを、ステップｉｉ）の後であってステップｉｉｉ）の前に洗浄しない、請求項６１に記載の方法。